(57)【要約】【課題】信頼性が向上された点灯制御装置及び当該点灯制御装置を備える照明装置を提供する。【解決手段】点灯制御装置７０は、第一発光部３０の点灯を制御する制御回路１２３を構成する複数の電子部品１２０が実装された主基板７７と、蓄電池６０の状態に応じて点灯状態が変わる第二発光部（モニタランプ）７３が実装された副基板７８とを備え、副基板７８は、平面視において主基板７７と重なり、且つ主基板７７の法線方向に離れて配置される。【選択図】図６
2018116904.tif 000002
【特許請求の範囲】
【請求項１】
第一発光部の点灯状態を制御する制御回路を構成する複数の電子部品が実装された主基板と、
蓄電池の状態に応じて点灯状態が変わる第二発光部が実装された副基板とを備え、
前記副基板は、平面視において前記主基板と重なり、且つ前記主基板の法線方向に離れて配置される
点灯制御装置。
【請求項２】
さらに、前記主基板を覆う制御カバーを備える
請求項１に記載の点灯制御装置。
【請求項３】
前記制御カバーは、前記主基板と前記副基板との間に配置される
請求項２に記載の点灯制御装置。
【請求項４】
前記複数の電子部品は、トランスを含み、
平面視において、前記副基板は、前記トランスと重ならない位置に配置される
請求項１〜３のいずれか１項に記載の点灯制御装置。
【請求項５】
前記複数の電子部品は、リード付き電子部品を含み、
平面視において、前記副基板は、前記リード付き電子部品と重ならない位置に配置される
請求項１〜４のいずれか１項に記載の点灯制御装置。
【請求項６】
請求項１〜５のいずれか１項に記載の点灯制御装置と、
前記点灯制御装置によって点灯状態が制御される前記第一発光部と、を備える
照明装置。
【請求項７】
さらに、前記第一発光部に電力を供給する前記蓄電池を備える
請求項６に記載の照明装置。
【発明の詳細な説明】
【技術分野】
【０００１】
本発明は、点灯制御装置及び当該点灯制御装置を備える照明装置に関する。
【背景技術】
【０００２】
従来、通常時に光源を商用交流電源などの外部電源で点灯させ、停電が発生して商用交流電源から電力が供給されなくなった場合等の非常時にバッテリ（蓄電池）の電源により光源を点灯させるようにした非常灯対応の非常用照明装置がある。また、非常用照明装置には、蓄電池が非常時に正常に動作するかどうかを確認するための、非常用照明装置の使用者が操作するスイッチが備えられている。
【０００３】
例えば特許文献１には、光源モジュールと、蓄電池と、蓄電池の状態を確認するためのスイッチと、モニタランプと、光源モジュール及びモニタランプの点灯を制御する点灯回路（点灯制御装置）とを備える照明装置が開示されている。モニタランプは、使用者がスイッチの操作した場合に、蓄電池の点検結果を使用者に表示（報知）するものである。
【先行技術文献】
【特許文献】
【０００４】
【特許文献１】特開２０１６−０９１７４１号公報
【発明の概要】
【発明が解決しようとする課題】
【０００５】
ところで、近年、光源としてＬＥＤ（Ｌｉｇｈｔ  Ｅｍｉｔｔｉｎｇ  Ｄｉｏｄｅ）が採用される場合がある。ＬＥＤは、ハロゲンランプ、蛍光灯等の光源と比較して小型である等の利点を有するが、熱に弱いといった問題がある。また、点灯制御装置には、発熱する電子部品が実装される場合が多く、点灯制御装置に搭載されるモニタランプの光源としてＬＥＤを採用した場合、熱の影響により光源の信頼性が低下するといった問題がある。
【０００６】
本発明は、信頼性が向上された点灯制御装置及び当該点灯制御装置を備える照明装置を提供する。
【課題を解決するための手段】
【０００７】
本発明の一態様に係る点灯制御装置は、第一発光部の点灯状態を制御する制御回路を構成する複数の電子部品が実装された主基板と、蓄電池の状態に応じて点灯状態が変わる第二発光部が実装された副基板とを備え、前記副基板は、平面視において前記主基板と重なり、且つ前記主基板の法線方向に離れて配置される。
【０００８】
また、本発明の一態様に係る照明装置は、本発明の一態様に係る点灯制御装置と、当該点灯制御装置によって点灯状態が制御される前記第一発光部と、を備える。
【発明の効果】
【０００９】
本発明によれば、信頼性が向上された点灯制御装置及び当該点灯制御装置を備える照明装置が実現される。
【図面の簡単な説明】
【００１０】
【図１】図１は、実施の形態に係る照明装置の下方から見た外観斜視図である。
【図２】図２は、実施の形態に係る照明装置の下方から見た分解斜視図である。
【図３】図３は、反射板に取付けられる構成要素を反射板から取り外した図である。
【図４】図４は、実施の形態に係る照明装置の透光カバーを取り外した場合の下面図である。
【図５】図５は、図４の照明装置から反射板を取り外した場合の下面図である。
【図６】図６は、図４のＶＩ−ＶＩ線に対応した位置で照明装置を切断した場合の断面図である。
【図７】図７は、実施の形態に係る点灯制御装置の外観斜視図である。
【図８】図８は、実施の形態に係る点灯制御装置の分解斜視図である。
【図９】図９は、実施の形態に係る照明装置の構成要素の配置を説明するための下面図である。
【図１０】図１０は、実施の形態に係る照明装置が備える電子部品の一例である蓄電池の状態を点検する処理手順を示すフローチャートである。
【発明を実施するための形態】
【００１１】
以下、実施の形態について、図面を参照しながら具体的に説明する。なお、以下で説明する実施の形態は、いずれも包括的又は具体的な例を示すものである。以下の実施の形態で示される数値、形状、材料、構成要素などは、一例であり、本発明を限定する主旨ではない。また、以下の実施の形態における構成要素のうち、最上位概念を示す独立請求項に記載されていない構成要素については、任意の構成要素として説明される。
【００１２】
また、各図は、模式図であり、必ずしも厳密に図示されたものではない。なお、各図において、実質的に同一の構成に対しては同一の符号を付しており、重複する説明は省略又は簡略化される場合がある。
【００１３】
以下の実施の形態の図面においては、Ｙ軸方向は、例えば上下方向（鉛直方向）であり、Ｙ軸負方向側は、上側又は天井側と記載される場合がある。また、Ｙ軸正方向側は、下側と記載される場合がある。また、Ｘ軸方向及びＺ軸方向は、Ｙ軸に垂直な平面（水平面）上において、互いに直交する方向である。
【００１４】
また、本明細書において、「略」又は「約」とは、製造又は配置の際に生じる誤差を含むことを意味する。
【００１５】
（実施の形態）
［照明装置の構成］
実施の形態に係る照明装置の構成について詳細に説明する。
【００１６】
図１は、実施の形態に係る照明装置の下方から見た外観斜視図である。図２は、実施の形態に係る照明装置の下方から見た分解斜視図である。図３は、実施の形態に係る照明装置が備える反射板に取付けられる構成要素を反射板から取り外した図である。図４は、実施の形態に係る照明装置の透光カバーを取り外した場合の下面図である。図５は、図４の照明装置から反射板を取り外した場合の下面図である。具体的には、図５は、実施の形態に係る照明装置から透光カバーと、反射板と、反射板に取付けられる構成要素を取り外した図である。図６は、図４のＶＩ−ＶＩ線に対応する位置で照明装置を切断した場合の断面図である。つまり、図６は、透光カバーを取付けた状態の照明装置を、図４に示すＶＩ−ＶＩ線に対応する位置に沿って切断した断面を示す断面図である。
【００１７】
図１〜図６に示されるように、照明装置１０は、器具本体１１と、第一発光部３０と、反射板４０と、透光カバー５０と、蓄電池６０と、点灯制御装置７０と、端子台８０と、を備える。
【００１８】
照明装置１０は、例えば、マンションの共用部などの半屋外空間で使用される、防災用（非常用）の照明装置である。照明装置１０は、具体的には、シーリングライトとして天井やブラケットライトとして壁面などの施工面に取付けられる。本実施の形態においては、照明装置１０の平面視形状は、円形である。なお、本明細書において、「平面視」とは、器具本体１１に設けられた主面１２ａ、又は、反射板４０に設けられた載置面４１を法線方向から見た場合を示す。
【００１９】
器具本体１１は、天井又は壁面などの造営材の施工面に取付けられる部材であり、言い換えれば、取付け台である。器具本体１１は、例えば、アルミダイカスト等によって形成されるが、その他の金属、又は樹脂によって形成されてもよい。器具本体１１は、平面視形状が円形の平板状のベース部１２と、ベース部１２の周縁近傍に立設した側壁部１３とを含む有底筒状である。
【００２０】
ベース部１２は、器具本体１１を造営材に取付けるための取付け構造（開口）が設けられている。ベース部１２は、平板状であり、後述する蓄電池６０等の照明装置１０の構成部材が載置される面（主面１２ａ）とは反対側の面（取付け面１２ｂ）側が、造営材の施工面に取付けられる。なお、照明装置１０が造営材に取付けられた場合に、造営材の施工面と、上述した蓄電池６０等の照明装置１０の構成部材が載置される主面１２ａとは、略平行となる。また、以下の実施の形態では、器具本体１１（照明装置１０）は、天井に取付けられるものとして説明が行われる。ベース部１２には、２つの取付け部１４が備えられている。
【００２１】
取付け部１４は、主面１２ａに対して平行な方向の反射板４０の動きを規制し、反射板４０が着脱可能に取付けられる部材であり、造営材の施工面に対して垂直な方向に立設された状態でベース部１２に設けられる。つまり、取付け部１４は、反射板４０を器具本体１１に着脱可能に取付けるための部材である。なお、取付け部１４の構造は限定されるものではない。取付け部１４は、例えば、ねじ２６と、ねじ２６を支持し、ベース部１２に立設される支柱部２７とから構成される。
【００２２】
また、図３に示されるように、反射板４０は一対の取付け孔４５を有する。また、器具本体１１には、一対の取付け部１４が設けられる。また、一対の取付け孔４５と一対の取付け部１４とはそれぞれが対応した位置に配置される。図５に示されるように、一対の取付け部１４は、ベース部１２の周縁近傍の対向した位置に配置される。
【００２３】
器具本体１１のベース部１２には、蓄電池６０、点灯制御装置７０及び端子台８０が載置される。
【００２４】
蓄電池６０は、第一発光部３０に電力を供給する電源である。蓄電池６０は、例えば、外部からの交流電力の供給が停止されたときに、非常用の電源として使用される。蓄電池６０は、例えば、ニッケル水素電池である。蓄電池６０は、充電及び放電が可能な電池であればよく、リチウムイオン電池又は鉛蓄電池等であってもよい。蓄電池６０は、蓄電池カバー６１によって下方から覆われる。蓄電池カバー６１は、例えば、アルミダイカストによって形成されるが、樹脂によって形成されてもよい。
【００２５】
点灯制御装置７０は、照明装置１０の外部から供給される交流電力を直流電力に変換して第一発光部３０に供給する電源回路を含む制御回路１２３（図８参照）を備える電源回路ユニットである。点灯制御装置７０は、第一発光部３０の点灯状態を制御する制御回路１２３（図８参照）を構成する複数の電子部品１２０（図８参照）が実装された主基板７７を備える。また、点灯制御装置７０は、蓄電池６０の状態に応じて点灯状態が変わるモニタランプ（第二発光部）７３が実装された、主基板７７よりも面積の小さい副基板７８を備える。点灯制御装置７０の詳細については、後述する。
【００２６】
端子台８０は、外部交流電源と点灯制御装置７０とを電気的に接続させるために電線が差し込まれる１又は複数の端子が配設された端子ユニットである。交流電力は、端子台８０に差し込まれた電線を介して外部交流電源から点灯制御装置７０へ供給される。
【００２７】
第一発光部３０は、照明光を発する照明装置１０の照明用光源として機能する。第一発光部３０は、具体的には、基板上に実装されたＬＥＤチップが、蛍光体を含有する透光性樹脂によって封止されたＣＯＢ（Ｃｈｉｐ  Ｏｎ  Ｂｏａｒｄ）型の発光モジュール３１を備える。第一発光部３０は、円形の発光領域を有する。本実施の形態においては、第一発光部３０は、さらに、配光を制御するためのレンズを有し、第一発光部３０を反射板４０にネジ止めするためのホルダ３２を備える。第一発光部３０は、例えば、白色光を主とした照明光を下方に向けて発する。つまり、第一発光部３０は、白色光を透光カバー５０に向けて発する。なお、第一発光部３０と載置面４１との間には、放熱シート３３などの放熱部材が配置されてもよい。
【００２８】
また、第一発光部３０は、透光カバー５０が備える光透過部材５１と反射板４０との間に配置される。また、平面視した場合に、第一発光部３０は反射板４０下面の中央部に位置する載置面４１に配置される。第一発光部３０は、反射板４０の載置面４１に載置され、載置面４１にねじ止めされる。なお、図示されないが、第一発光部３０は、蓄電池６０及び点灯制御装置７０とリード線などによって電気的に接続される。
【００２９】
ところで、上述したように照明装置が備える光源の交換等のために、壁、天井等の造営材に固定される照明装置の本体と、照明装置が備える照明装置の構成部材とがねじ止め等によって着脱可能に取付けられる場合がある。実施の形態に係る照明装置１０においては、照明装置１０は蓄電池６０を備える。一般的に、蓄電池が内蔵された例えば防災用（非常用）の照明装置は、定期的に蓄電池の状態を確認する必要がある。この際に、蓄電池に要求される能力を満たしていないことが確認された場合、蓄電池は交換される必要がある。そのために、照明装置１０においては、器具本体１１に取付けられている蓄電池６０を交換しやすくするために、反射板４０及び透光カバー５０は器具本体１１と着脱可能に取付けられている。
【００３０】
反射板４０は、第一発光部３０が配置される載置面４１が設けられ、第一発光部３０が発する光を反射する板体である。また、反射板４０は、第一発光部３０から発せられる光を、透光カバー５０側へ反射する。また、反射板４０は、第一発光部３０を器具本体１１に着脱可能に取付けるための取付け部材である。具体的には、反射板４０は、主面１２ａに対して平行な方向にスライドされることにより、器具本体１１（具体的には、取付け部１４）に着脱可能に取付けられる。また、反射板４０は、ベース部１２に載置された蓄電池６０、点灯制御装置７０及び端子台８０を覆うように器具本体１１に取付けられる。言い換えると、蓄電池６０、点灯制御装置７０及び端子台８０は、反射板４０に覆われて器具本体１１に載置される。また、反射板４０は、第一発光部３０の光軸Ｌ方向（Ｙ軸方向）において、器具本体１１（具体的にはベース部１２）と透光カバー５０（具体的には透光カバー５０が備える光透過部材５１）との間に配置される。図６に示されるように、反射板４０とベース部１２との間、及び、反射板４０と光透過部材５１との間のそれぞれには、空隙（空気層）が形成される。つまり、反射板４０は、器具本体１１及び光透過部材５１のいずれの部材とも直接接触しない。このように、第一発光部３０が反射板４０の載置面４１に載置される構造によれば、第一発光部３０がベース部１２に載置される構造よりも、第一発光部３０が発する熱がベース部１２に伝わりにくい効果が得られる。
【００３１】
また、反射板４０は、上方（ベース部１２側）に向かうほど縮径する略漏斗状である。言い換えると、反射板４０は、第一発光部３０から離れるにつれて開口面積が広がる形状である。反射板４０は、例えば、アルミニウムによって形成されるが、その他の金属又は樹脂によって形成されてもよい。
【００３２】
図３に示されるように、反射板４０は、載置面４１、傾斜部４２、及び平坦部４３を有する。
【００３３】
載置面４１は、反射板４０の略中央部に位置し、第一発光部３０が載置される平面である。載置面４１の平面視形状は、特に限定されるものではないが、本実施の形態においては円形である。第一発光部３０は、載置面４１に載置されることにより、光透過部材５１と反射板４０との間に位置する。
【００３４】
また、反射板４０のうち載置面４１の反対側の面、つまり、載置面４１と背向する面には、ヒートシンクが配置されてもよい。当該ヒートシンクによれば、第一発光部３０が発光中に発する熱を当該ヒートシンクに逃がすことができる。当該ヒートシンクは、例えば、アルミダイカストによって形成されるが、その他の金属によって形成されてもよい。
【００３５】
また、反射板４０には、第一発光部３０が発する光を透光カバー５０側に反射させる傾斜部４２が含まれるとよい。傾斜部４２は、載置面４１の周囲を囲むように載置面４１と連続的に形成された部分であり、第一発光部３０が発する光の一部を光透過部材５１に向けて反射する。傾斜部４２は、反射板４０の径方向において一部が湾曲したテーパ部分である。
【００３６】
また、反射板４０の周縁部には、傾斜部４２に対して傾斜して延在したフランジ状の平坦部４３が設けられる。具体的には、反射板４０の周縁部には、傾斜部４２に対して傾斜し、載置面４１に対して略平行な平坦部４３が設けられる。言い換えると、反射板４０の周縁近傍には、第一発光部３０が発する光の光軸Ｌ方向に対して略垂直方向に屈曲して形成された平坦部４３が設けられる。平坦部４３には、開口部４４及び取付け孔４５が設けられる。
【００３７】
開口部４４は、光軸Ｌ方向に貫通して形成された貫通孔である。開口部４４には、モニタランプ７３が位置する。具体的には、開口部４４は、モニタランプ７３を有するモニタユニット７１が嵌合される。なお、開口部４４は、反射板４０を器具本体１１に取付けやすくするために、反射板４０の周縁を切り欠いて形成される切り欠き部であるとよい。
【００３８】
反射板４０の周縁部（平坦部４３）には、一対の取付け孔４５が対向して配置される。取付け孔４５は、取付け部１４に対応して位置し、光軸Ｌ方向に貫通して形成された貫通孔である。取付け孔４５が取付け部１４に係合されることで、反射板４０は器具本体１１に取付けられる。なお、反射板４０の平坦部４３に配置される取付け孔４５の数は特に限定されるものではない。器具本体１１に設けられる取付け部１４に対応した数だけ設けられるとよい。
【００３９】
透光カバー５０は、器具本体１１とともに照明装置１０の外郭筐体の一部を構成する、器具本体１１と着脱可能なカバー部材である。透光カバー５０は、光透過部材５１と、枠体５２とを備える。
【００４０】
光透過部材５１は、下方に向かって突出した略円形ドーム状の光学部材（グローブ）である。光透過部材５１は、例えば、白色又は乳白色であり、光拡散性（光散乱性）及び透光性を有する。
【００４１】
光透過部材５１は、枠体５２の下側の開口を塞ぐように枠体５２に取付けられる。光透過部材５１は、具体的には、外側に向かって鍔状にせり出した光透過部材５１の縁が、支持枠１００と枠体５２の鍔状にせり出した部分との間に挟み込まれることによって、枠体５２に取付けられる。
【００４２】
光透過部材５１は、例えば、ガラスによって形成されるが、シリコーン樹脂、アクリル樹脂、又は、ポリカーボネート樹脂によって形成されてもよい。また、光透過部材５１は、表面にシルク印刷が行われることによって光拡散性を有してもよい。また、光透過部材５１は、シリカ又は炭酸カルシウムなどの光拡散材（微粒子）を含有することにより光拡散性を有してもよい。また、光透過部材５１の表面（内面又は外面）に光拡散材等を含む乳白色の光拡散膜を形成することで、光透過部材５１は光拡散性を有してもよい。また、光拡散材を用いるのではなくシボ加工処理等によって光透過部材５１の表面に微小凹凸を形成したり、光透過部材５１の表面にドットパターンを印刷したりすることで、光透過部材５１は光拡散性を有してもよい。また、上述した光拡散性を持たせる材料、形状等を組み合わせることで、光透過部材５１は光拡散性を有してもよい。
【００４３】
枠体５２は、第一発光部３０及び反射板４０などを側方から囲む筒状筐体である。本実施の形態においては、枠体５２は、円筒状である。枠体５２は、器具本体１１及び光透過部材５１とともに、照明装置１０の外郭筐体を構成する。枠体５２は、外郭筐体の側壁部分に相当する。なお、枠体５２は、取付け部１４には接触しない。枠体５２と取付け部１４との間には空隙（空気層）が形成される。
【００４４】
枠体５２は、上側の開口に器具本体１１が配置された状態で回動されることにより、器具本体１１に接続される。具体的には、枠体５２の内壁には、器具本体１１の側壁部１３に形成された雄ねじと螺合する雌ねじが形成されている。器具本体１１と枠体５２とは、当該雄ねじと当該雌ねじとが回動されて螺合することにより接続される。枠体５２は、例えば、アルミダイカストによって形成されるが、その他の金属、又は、樹脂によって形成されてもよい。
【００４５】
また、器具本体１１に透光カバー５０が取付けられた場合に、照明装置１０は、第一発光部３０が発する光の光軸Ｌ方向の長さ（高さ）に対して、光軸Ｌ方向に対して垂直な方向の長さ（幅）の方が大きい扁平形状である。なお、本実施の形態においては、照明装置１０は、平面視において円形であるが、楕円形状又は多角形などでもよく、平面視形状は限定されない。照明装置１０の平面視形状が円形ではない場合は、照明装置１０は、第一発光部３０が発する光の光軸Ｌに平行な方向の長さに対して、照明装置１０における最も長い垂直な方向の長さの方が大きい扁平形状であるとよい。
【００４６】
なお、照明装置１０が防災用の照明装置として採用される場合、照明装置１０の外郭筐体を構成する器具本体１１及び透光カバー５０は、不燃性又は難燃性の材料で形成されるとよい。具体的には、上述したように、器具本体１１及び枠体５２はアルミダイカストによって形成され、光透過部材５１はガラスによって形成されるとよい。こうすることにより、火災が発生した際などに、照明装置１０が延焼によって発火することが抑制される。
【００４７】
また、照明装置１０は、取付けシート９０及びパッキン１１０を備えてもよい。
【００４８】
取付けシート９０は、ベース部１２の取付け面１２ｂ側に配置され、ベース部１２と造営材とを密着させやすくするための緩衝部材である。取付けシート９０には、ベース部１２に形成された造営材に取付けるための取付け構造（開口）に対応した位置に、取付け構造（開口）が形成される。取付けシート９０は、例えば、不燃性又は難燃性であり、水が透過しにくいウレタン等の樹脂材料によって形成される。
【００４９】
パッキン１１０は、側壁部１３の外周面１３ａと枠体５２の内周面５２ａとの間に位置し、枠体５２と側壁部１３とを密着させやすくするための環状の気密封止部材である。パッキン１１０は、側壁部１３の外周面１３ａに沿って形成される。言い換えると、パッキン１１０は側壁部１３の外周面１３ａに、器具本体１１の周方向に延在して形成される。パッキン１１０は、例えば、ゴム弾性を有する樹脂材料によって形成される。
【００５０】
［点灯制御装置の構成］
次に、点灯制御装置７０の詳細について説明する。
【００５１】
図７は、実施の形態に係る点灯制御装置７０の外観斜視図である。図８は、実施の形態に係る点灯制御装置７０の分解斜視図である。図９は、実施の形態に係る照明装置１０の構成要素の配置を説明するための下面図である。具体的には、図９は、実施の形態に係る照明装置１０の、透光カバー５０及び反射板４０を取り外した場合を示す下面図である。なお、図９においては、説明のためにモニタカバー７２及び制御カバー７６を図示していない。
【００５２】
点灯制御装置７０は、照明装置１０が備える第一発光部３０などを制御する制御装置である。点灯制御装置７０は、例えば、ベース部１２の下面に載置された状態でベース部１２にネジ止めされる。図７及び図８に示されるように、点灯制御装置７０は、主基板７７と、制御カバー７６と、モニタユニット７１とを備える。
【００５３】
主基板７７は、第一発光部３０の点灯状態を制御する制御回路１２３を構成する複数の電子部品１２０が実装された回路基板である。複数の電子部品１２０は、例えば、トランス１２１と、電解コンデンサ等のリード付き電子部品１２２とを含む。なお、以下の説明において、複数の電子部品１２０と記載した場合、トランス１２１及びリード付き電子部品１２２を含むものとして説明する。
【００５４】
制御回路１２３は、第一発光部３０及びモニタランプ（第二発光部）７３の点灯状態を制御する処理回路である。また、制御回路１２３は、点検スイッチ７４が操作者から指示を取得した場合に、照明装置１０が備える蓄電池６０が正常に機能しているかどうかの点検を行う。当該点検の結果に応じて、制御回路１２３は、モニタランプ７３を所定の点灯状態で発光させる。制御回路１２３がモニタランプ７３を所定の点灯状態で発光させる一例である、制御回路１２３が実行する蓄電池６０の状態を確認する処理手順の詳細については、後述する。
【００５５】
制御回路１２３は、例えば、ゲートアレイ等を用いた専用の電子回路によってハードウェア的に実現される。なお、制御回路１２３は、制御プログラムが記憶されたメモリと、当該制御プログラムを実行するＣＰＵ（Ｃｅｎｔｒａｌ  Ｐｒｏｃｅｓｓｉｎｇ  Ｕｎｉｔ）等によって、つまりプロセッサがプログラムを実行することによってソフトウェア的に実現されてもよい。
【００５６】
また、主基板７７は、上述したように、電源回路を含む。具体的には、制御回路１２３は、主基板７７に回路部品となる複数の電子部品１２０（図８参照）が実装されることにより形成された電源回路を含む。電源回路は、整流回路及びインバータ回路などを含む。
【００５７】
また、電源回路には、蓄電池６０を充電する充電回路が含まれる。充電回路は、照明装置１０の外部から供給される交流電力を蓄電池６０の充電に適した直流電力に変換し、直流電力によって蓄電池６０を充電する。本実施の形態では、照明装置１０においては、停電時などの非常時においても照明装置１０の使用が可能なように蓄電池６０は充電される。
【００５８】
また、電源回路には、外部からの交流電力の供給の停止（停電）を検出する検出回路、及び、蓄電池６０を放電する放電回路も含まれる。検出回路によって停電が検出されると、放電回路は、蓄電池６０を放電させる。この結果、蓄電池６０は、第一発光部３０に直流電力を供給する。これにより、照明装置１０は、停電時も発光を継続することができる。
【００５９】
制御カバー７６は、主基板７７を覆うカバー部材である。制御カバー７６は、反射板４０に設けられた傾斜部４２の形状に沿った傾斜した形状を有する。制御カバー７６は、例えば、アルミダイカスト又は不燃性若しくは難燃性の樹脂材料によって形成される。
【００６０】
モニタユニット７１は、モニタランプ７３等が配置され、照明装置１０が備える電子部品等の状態を、照明装置１０の使用者（操作者）へ報知するためのユニットである。モニタユニット７１には、モニタランプ７３を収容し、モニタランプ７３が発する光を反射する反射性を有した樹脂材料によってモニタランプ７３の周囲を覆う筒状の孔である筒部７９が設けられる。モニタユニット７１は、モニタカバー７２と、モニタランプ７３と、点検スイッチ７４とを備える。
【００６１】
モニタカバー７２は、副基板７８を覆うカバー部材である。また、モニタカバー７２には、モニタランプ７３が発する光を反射する樹脂材料によってモニタランプ７３の周囲を覆う筒状の孔である筒部７９が設けられる。
【００６２】
筒部７９は、モニタランプ７３が発する光の配光を制御する機能を有する部分である。筒部７９は、モニタランプ７３から発せられる光の一部を、光透過部材５１に向けて反射する。具体的には、筒部７９は、モニタランプ７３が発する光の広がりを抑制するように機能する。筒部７９は、例えば樹脂材料によって、モニタランプ７３の周囲を囲むように筒状に形成される。当該樹脂材料は、例えば酸化チタンなどの反射性（光反射性）の材料を添加したシリコーン樹脂などである。これにより、筒部７９は、モニタランプ７３が発する光を光透過部材５１側へ反射するようにも機能する。なお、筒部７９には、モニタランプ７３が発する光の広がりを抑制するために、例えばレンズ等が設けられてもよい。
【００６３】
モニタランプ（第二発光部）７３は、照明装置１０が備える電子部品、例えば照明装置１０が備える電子部品の一例である蓄電池６０の状態に応じて点灯状態が切り替わる光源である。具体的には、モニタランプ７３は、点灯（連続点灯）又は点滅することにより蓄電池６０が正常に機能しているかどうかを照明装置１０の操作者へ提示（報知）するランプである。モニタランプ７３は、例えば、砲弾型ＬＥＤにより構成される。また、上述したように、照明装置１０は、モニタランプ７３とは別に、照明装置１０の照明用光源として機能する第一発光部３０を備える。第一発光部３０が点灯中においても、モニタランプ７３が光を発しているかどうかを確認しやすくするために、第一発光部３０及びモニタランプ７３が発する光の色は異なるとよい。例えば、第一発光部３０は白色光を発し、モニタランプ７３は緑色光を発してもよい。モニタランプ７３は、平坦部４３に形成された貫通孔である開口部４４に対応した位置に配置される。
【００６４】
ここで、モニタランプ７３の光出射位置は、平坦部４３と略同一面又は載置面４１側に位置する（図６参照）とよい。これにより、反射板４０を器具本体１１から取り外すことなく、モニタランプ７３が発する光が、光透過部材５１を通過して照明装置１０の外側へ出射されやすくなる。
【００６５】
点検スイッチ７４は、照明装置１０を利用する操作者からの指示を取得するスイッチである。具体的には、点検スイッチ７４が操作者からの指示を取得した場合に、制御回路１２３は蓄電池６０の状態を確認する処理を実行する。点検スイッチ７４は、例えば操作者が直接押圧するボタンでもよいが、ＰＤ（Ｐｈｏｔｏ  Ｄｉｏｄｅ）等の光センサであるとよい。つまり、点検スイッチ７４は、操作者が操作するリモートコントローラから発せられる赤外線などの信号を受信する光センサであるとよい。なお、点検スイッチ７４として、上述したボタン式のスイッチと、光センサとが照明装置１０に備えられていてもよい。本実施の形態においては、点灯制御装置７０は、点検スイッチ７４と、上述した光センサとして、受光部７５とを備える。
【００６６】
副基板７８は、モニタランプ７３及び点検スイッチ７４が実装され、モニタランプ７３及び点検スイッチ７４に電力を供給するための回路が形成された回路基板である。
【００６７】
また、副基板７８は、平面視（主基板７７の法線方向から見た場合）において、主基板７７と重なり、且つ主基板７７の法線方向に離れて配置される。より具体的には、図６に示されるように、主基板７７と副基板７８とは、所定距離ｈ離れた位置に配置されるとよい。なお、所定距離ｈは、特に限定されないが、モニタランプ７３と制御回路１２３とがそれぞれ異なる基板上に実装、又は形成され、制御回路１２３が形成される主基板７７とモニタランプ７３が実装される副基板７８とは接触していないとよい。本実施の形態においては、主基板７７の面積は７２００ｍｍ２であり、副基板７８の面積は６４０ｍｍ２であり、所定距離ｈは１５ｍｍである。
【００６８】
主基板７７に実装される制御回路１２３を構成する電子部品１２０には、例えばトランス１２１、ダイオード、ＦＥＴ（Ｆｉｅｌｄ  Ｅｆｆｅｃｔ  Ｔｒａｎｓｉｓｔｏｒ）等、発熱しやすい電子部品も含まれる。そのため、副基板７８に実装される熱に弱い電子部品、例えばモニタランプ７３は、当該発熱しやすい電子部品とは離れた位置に設けられるとよい。
【００６９】
図６に示されるように、本実施の形態において、副基板７８は、制御カバー７６の外側に配置される。言い換えると、制御カバー７６は、主基板７７と副基板７８との間に配置される。制御カバー７６は、主基板７７を覆うような形状を有する。このように、制御回路１２３が形成される主基板７７とモニタランプ７３が実装される副基板７８とは、制御カバー７６によって、空間的に分離されてもよい。
【００７０】
また、図９に示されるように、平面視において、副基板７８は、主基板７７に実装される複数の電子部品１２０の中で、相対的に高背な電子部品とは重ならない位置に配置されるとよい。例えば、平面視において、副基板７８は、相対的に高背な電子部品であるトランス１２１と重ならない位置に配置されるとよい。さらには、平面視において、副基板７８は、相対的に高背な電子部品であるリード付き電子部品１２２と重ならない位置に配置されるとよい。点灯制御装置７０は、第一発光部３０の点灯を制御するために、照明装置１０に内蔵される。一般的に、照明装置には、設置しやすさ、設置された場所の美観の観点から、小型化が要求される。同様に照明装置は、より低背であるとよい。そのために、照明装置に内蔵される各構成要素も低背化（小型化）されるとよい。
【００７１】
制御回路１２３を構成する複数の電子部品１２０には、相対的に高背な電子部品であるトランス１２１及びリード付き電子部品１２２が含まれる。平面視において、副基板７８をトランス１２１及び／又はリード付き電子部品１２２と重ならない位置に配置することで、点灯制御装置７０は小型化され得る。
【００７２】
また、平面視において、副基板７８は、例えばトランス１２１、ダイオード、ＦＥＴ等の発熱しやすい電子部品と重ならないとよい。こうすることで、副基板７８へ与える熱の影響が抑制される。
【００７３】
次に、実施の形態に係る照明装置１０が備える電子部品の一例である蓄電池６０の状態を点検するための処理手順について説明する。
【００７４】
図１０は、実施の形態に係る照明装置１０が備える蓄電池６０の状態を点検する処理手順を示すフローチャートである。具体的には、図１０は、点検スイッチ７４又は受光部７５が照明装置１０の操作者から指示を取得した場合、制御回路１２３が蓄電池６０の状態を点検し、当該点検の結果に応じてモニタランプ７３を所定の態様で発光させる処理手順を示すフローチャートである。
【００７５】
照明装置１０は、まず、外部交流電源と電気的に接続されることで、第一発光部３０及びモニタランプ（第二発光部）７３を点灯させる（ステップＳ１０１）。
【００７６】
照明装置１０を利用している操作者は、蓄電池６０が正常に機能しているかどうかを点検する場合に、照明装置１０へ指示を出す。例えば、操作者は、所定のリモートコントローラを操作して、蓄電池６０を点検する指示を受光部７５へ送信する。受光部７５は、当該指示を取得する（ステップＳ１０２）。受光部７５が操作者から指示を取得した場合に、制御回路１２３は、モニタランプ（第二発光部）７３を消灯させる制御をする（ステップＳ１０３）。
【００７７】
次に、制御回路１２３は、蓄電池６０の状態を点検する。まず、制御回路１２３は、蓄電池６０と第一発光部３０とが電気的に接続されているかを点検（判定）する（ステップＳ１０４）。具体的には、制御回路１２３は、外部から供給されていた電力を第一発光部３０へ供給することを中断し、蓄電池６０に蓄えられていた電力を第一発光部３０へ供給することで、第一発光部３０へ電力が供給できるかどうかを確認する。言い換えると、点検スイッチ７４が操作者から指示を取得した場合に、制御回路１２３は、停電時と同様に、蓄電池６０を放電させることにより第一発光部３０を発光させる。
【００７８】
次に、制御回路１２３が蓄電池６０と第一発光部３０とが電気的に接続されていないと判定した場合（ステップＳ１０４でＮｏ）に、制御回路１２３は、モニタランプ７３を点滅して発光させる制御をする（ステップＳ１０８）。
【００７９】
一方、制御回路１２３は、蓄電池６０と第一発光部３０とが電気的に接続されていると判定した場合（ステップＳ１０４でＹｅｓ）に、蓄電池６０が充電されているかどうかを点検する（ステップＳ１０５）。照明装置１０が、例えば非常用の照明装置として使用され、非常用電源として蓄電池６０が使用される場合には、いつ停電が発生しても対応できるように、常に満充電に保っておく必要がある。このような場合においては、ステップＳ１０５において、蓄電池６０が満充電であるかどうかの確認を行う。
【００８０】
次に、制御回路１２３は、蓄電池６０が充電されていないと判定した場合（ステップＳ１０５でＮｏ）に、モニタランプ７３を点滅して発光させる制御をする（ステップＳ１０８）。
【００８１】
一方、制御回路１２３は、蓄電池６０が充電されていると判定した場合（ステップＳ１０５でＹｅｓ）に、蓄電池６０の放電によって第一発光部３０を所定時間正常に点灯させ続けられるかどうかを点検する（ステップＳ１０６）。具体的には、制御回路１２３は、ＲＴＣ（Ｒｅａｌ  Ｔｉｍｅ  Ｃｌｏｃｋ）等の計時部（時計）を備え、当該計時部で蓄電池６０の放電による第一発光部３０の点灯時間を計測する。所定時間は特に限定されないが、例えば１０分間でもよいし、３０分間でもよいし、１時間でもよい。
【００８２】
次に、制御回路１２３は、蓄電池６０の放電によって第一発光部３０を所定時間正常に点灯させ続けられなかった場合（ステップＳ１０６でＮｏ）に、モニタランプ７３を点滅して発光させる制御をする（ステップＳ１０８）。
【００８３】
一方、制御回路１２３は、蓄電池６０の放電によって第一発光部３０を所定時間正常に点灯させ続けられた場合（ステップＳ１０６でＹｅｓ）に、モニタランプ７３を点灯させる制御をする（ステップＳ１０７）。ここで、点灯とは、モニタランプ７３が連続的に発光されている状態を示す。
【００８４】
上述したように、モニタランプ７３は、蓄電池６０の状態に応じて点灯状態が変化する。具体的には、制御回路１２３は、蓄電池６０の状態に応じてモニタランプ７３の点灯状態を切り替える。これにより、照明装置１０の操作者は、モニタランプ７３の点灯状態を確認することで、蓄電池６０が正常な状態であるか否かを確認できる。
【００８５】
なお、図１０に示す処理手順はあくまで一例であり、処理手順の順序などは変更されてもよい。また、ステップＳ１０４、ステップＳ１０５及びステップＳ１０６において、制御回路１２３がＮｏと判定した場合に、ステップＳ１０８においてモニタランプ７３を点滅させる制御をするが、各処理手順で同様の点滅状態とする必要はない。具体的には、ステップＳ１０４からステップＳ１０８へ移行した処理手順と、ステップＳ１０５からステップＳ１０８へ移行した処理手順と、ステップＳ１０６からステップＳ１０８へ移行した処理手順とで、モニタランプ７３の点滅状態は異なってもよい。ここで、異なる点滅状態とは、例えば、モニタランプ７３が点滅している状態における、点灯と消灯との周期、点灯時間の長さ、消灯時間の長さ等が異なる状態である。
【００８６】
また、ステップＳ１０８において、制御回路１２３はモニタランプ７３を点滅させる制御をするとしたが、操作者へ蓄電池６０に異常がある旨を提示できればよい。例えば、モニタランプ７３は複数の色の光を発することができてもよく、蓄電池６０が正常だと判定された場合と異常だと判定された場合とで発光色を変更してもよい。
【００８７】
また、制御回路１２３は、操作者からの指示を点検スイッチ７４（又は受光部７５）が取得した場合に、蓄電池６０の状態を点検するとしたが、当該点検を開始する条件は限定されない。例えば、制御回路１２３は計時部とメモリとを備え、当該メモリに定期的に図１０に示すステップを実行させる制御プログラムを予め記憶させておき、当該制御プログラムが制御回路１２３によって定期的に実行されてもよい。
【００８８】
［効果等］
以上説明したように、実施の形態に係る点灯制御装置７０は、第一発光部３０の点灯状態を制御する制御回路１２３を構成する複数の電子部品１２０が実装された主基板７７と、蓄電池６０の状態に応じて点灯状態が変わる第二発光部（モニタランプ）７３が実装された副基板７８とを備える。副基板７８は、平面視において主基板７７と重なり、且つ主基板７７の法線方向に離れて配置される。
【００８９】
主基板７７に実装される制御回路１２３を構成する電子部品１２０には、例えばトランス１２１、ダイオード、ＦＥＴ等、発熱しやすい電子部品も含まれる。そのため、点灯制御装置７０によれば、熱に弱い電子部品であるモニタランプ（第二発光部）７３は、発熱しやすい電子部品と離れた位置に配置される。つまり、発熱しやすい電子部品とモニタランプ７３とは空間的に分離されることとなる。そのため、このような構成によれば、点灯制御装置７０の信頼性が向上される。
【００９０】
また、点灯制御装置７０は、さらに、主基板７７を覆う制御カバー７６を備えてもよい。
【００９１】
これにより、制御回路１２３を構成する複数の電子部品１２０は、制御カバー７６によって保護される。そのため、点灯制御装置７０は故障しにくくなる。
【００９２】
また、制御カバー７６は、主基板７７と副基板７８との間に配置されてもよい。
【００９３】
これにより、熱に弱い電子部品であるモニタランプ（第二発光部）７３は、発熱しやすい電子部品と離れた位置に配置され、且つ間に制御カバー７６が配置される。そのため、このような構成によれば、点灯制御装置７０の信頼性がより向上される。
【００９４】
また、上述したように、例えば、複数の電子部品１２０は、トランス１２１を含む。この場合に、平面視において、副基板７８は、トランス１２１と重ならない位置に配置されてもよい。
【００９５】
点灯制御装置７０は、第一発光部３０の点灯を制御するために、照明装置１０に内蔵される。一般的に、照明装置には、設置しやすさ、設置された場所の美観の観点から、小型化が要求される。同様に照明装置は、より低背であるとよい。そのために、照明装置に内蔵される各構成要素も低背化（小型化）されるとよい。制御回路１２３を構成する複数の電子部品１２０には、比較的高背な電子部品であるトランス１２１及びリード付き電子部品１２２が含まれる。平面視において、副基板７８をトランス１２１と重ならない位置に配置することで、点灯制御装置７０は小型化され得る。
【００９６】
また、上述したように、例えば、複数の電子部品１２０は、リード付き電子部品１２２を含む。この場合に、平面視において、副基板７８は、リード付き電子部品１２２と重ならない位置に配置されてもよい。
【００９７】
これにより、副基板７８を比較的高背な電子部品であるリード付き電子部品１２２と重ならない位置に配置することで、点灯制御装置７０は、より低背化され得る。言い換えると、点灯制御装置７０は小型化され得る。
【００９８】
また、実施の形態に係る照明装置１０は、本実施の形態に係る点灯制御装置７０と、点灯制御装置７０によって点灯状態が制御される第一発光部３０と、を備える。
【００９９】
これにより、熱的に信頼性が向上された点灯制御装置７０が内蔵されるため、照明装置１０もまた信頼性が向上される。
【０１００】
また、照明装置１０は、さらに、第一発光部３０に電力を供給する蓄電池６０を備えてもよい。
【０１０１】
これにより、照明装置１０は、停電などが発生した際においても、蓄電池６０から第一発光部３０へ電力が供給される。そのため、例えば災害などが発生した場合に外部交流電源から電力が供給されない場合においても、第一発光部３０は光を発することができる。
【０１０２】
（その他の実施の形態）
以上、実施の形態に係る点灯制御装置及び照明装置について説明したが、本発明は、このような実施の形態に限定されるものではない。
【０１０３】
上記実施の形態で説明された照明装置の形状は、一例である。例えば、上記実施の形態では、照明装置の平面視形状は、円形であったが、照明装置の平面視形状は、矩形などの多角形であってもよい。
【０１０４】
また、上記実施の形態では、第一発光部として、ＣＯＢ型の発光モジュールが用いられたが、第一発光部の態様は特に限定されるものではない。例えば、ＳＭＤ型の発光モジュールが発光部として用いられてもよい。また、発光部には、ＬＥＤチップを用いた発光モジュールに代えて、蛍光灯、メタルハライドランプ、ナトリウムランプ、ハロゲンランプ、キセノンランプ、又は、ネオンランプ等が用いられてもよい。また、第一発光部には、無機エレクトロルミネッセンス、有機エレクトロルミネッセンス、ケミルミネッセンス（化学発光）、又は、半導体レーザー等が用いられてもよい。
【０１０５】
また、上記実施の形態では、点検スイッチとしてボタン又は光センサを例示したが、照明装置１０の操作者からの指示を取得できればよい。例えば、点検スイッチは、無線通信装置でもよく、当該無線通信装置によって操作者からの指示を取得してもよい。照明装置１０の操作者は、無線通信により、照明装置１０へ指示を送信する。無線通信は、例えば、Ｂｌｕｅｔｏｏｔｈ（登録商標）、Ｗｉ−Ｆｉ（登録商標）又はＺｉｇＢｅｅ（登録商標）などの所定の無線通信規格に基づいて行われればよい。
【０１０６】
以上、一つ又は複数の態様に係る点灯制御装置及び照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つ又は複数の態様の範囲内に含まれてもよい。
【符号の説明】
【０１０７】
１０  照明装置
３０  第一発光部
６０  蓄電池
７０  点灯制御装置
７３  モニタランプ（第二発光部）
７６  制御カバー
７７  主基板
７８  副基板
１２０  電子部品
１２１  トランス
１２２  リード付き電子部品
１２３  制御回路
【図１】
2018116904.tif 000003
【図２】
2018116904.tif 000004
【図３】
2018116904.tif 000005
【図４】
2018116904.tif 000006
【図５】
2018116904.tif 000007
【図６】
2018116904.tif 000008
【図７】
2018116904.tif 000009
【図８】
2018116904.tif 000010
【図９】
2018116904.tif 000011
【図１０】
2018116904.tif 000012